(57)【要約】【課題】ストロボユニットを大型化することなくリード線とファイバーの擦れを防止し、適正位置まで確実に内蔵ストロボをアップすることを可能にした撮像装置を提供すること。【解決手段】ストロボ発光部（２）内部でファイバー（２２）とアーム（４）に設けた外寄せリブ（１６Ｂ）で撮像装置（１）底面と水平に撮像装置（１）のグリップ方向へ付勢することを特徴とする。【選択図】図１
2018180138.tif 000002
【特許請求の範囲】
【請求項１】
ストロボ発光部と、前記ストロボ発光部を構成するアームと、前記ストロボ発光部を撮像装置本体に対して所定の回転軸を中心に回動可能に支持し、該軸を中心とした回動により前記ストロボ発光部が収納待機位置から発光位置に移動できるようにする支持手段と、前記ストロボ発光部内に実装されている電気実装部品と、前記撮像装置本体内に実装されている制御回路と、前記電気実装部品と前記制御回路とを電気的に接続するためのリード線と、前記ストロボ発光部の発光量を測光する発光量制御手段と、一端が前記ストロボ発光部に設けられ、他端が前記撮像装置本体内に設けられ、前記ストロボ発光部で発光した光の一部を前記発光量制御手段に導くファイバーと、を有する撮像装置において、ストロボ発光部内部でファイバーとアームに設けた外寄せリブで撮像装置底面と水平に撮像装置のグリップ方向へ付勢することを特徴とする撮像装置。
【請求項２】
ストロボ発光部を構成するアームに設けた外寄せリブとファイバーを固定していることを特徴とする請求項１に記載の撮像装置。
【発明の詳細な説明】
【技術分野】
【０００１】
本発明は、回動（開閉）可能なストロボ装置を内蔵したカメラに関し、特にストロボ発光部に関する。
【背景技術】
【０００２】
従来、一眼レフカメラにおいてストロボ装置を内蔵しているものが一般に普及している。ストロボ装置をカメラに内蔵すると、カメラ本体が大型化する傾向になるため、できる限りカメラ本体をコンパクトにすることが必要になる。その結果内蔵したストロボ発光部がカメラの撮影光軸に近づくことになる。
【０００３】
しかしながら、ストロボ発光部は出来る限り撮影光軸から離れた位置にある事が望ましい。なぜならストロボ発光部が撮影光軸に著しく近いと影の出方が不自然であったり、被写体となる人や生物の瞳が赤い斑点として撮影されてしまう赤目現象が発生しやすい等の弊害が生じやすいからである。
【０００４】
そこで、ストロボ内蔵一眼レフにおいてはペンタプリズムの真上部にストロボ発光部を搭載しており、このストロボ発光部が収納待機位置と発光位置との間をアップダウンするように構成しているものが多い。この構成によるとストロボ発光部が通常は収納待機位置にありカメラの小型携帯性に寄与し、ストロボ撮影時にのみ撮影光軸からより離れた位置にある発光位置に待機することができるのできわめて有効な構成である。この場合ペンタプリズム稜線を挟んで両斜面に沿うようにストロボ発光部を支持するアーム部を設け、このアームの支持軸を中心とする回転運動によりストロボ発光部が収納待機位置と発光位置との間をアップダウンする構成が一般的である。
【０００５】
このアップダウン動作はカメラがストロボ発光必要と判断したとき自動的にポップアップしたり、撮影者がストロボ発光必要もしくは意図的に発光させたいと判断した時に手動で行われたりする。これら自動もしくは手動でポップアップ、ポップダウンが行われる機構としては、モーターに連結した駆動手段を介して行われたり、マグネットへの通電による緊定部材の解除等、多種の発明がなされており、製品として世の中にすでに普及している。さらにはストロボ発光撮影終了後やカメラの電源オフ時に自動でポップダウンするものもある。またストロボ発光の要不要の自動判別については様々なアルゴリズムにより制御され、これもまた多数製品化されている。
【０００６】
このような構成における電気実装形態はストロボ発光部内にキセノン管とトリガーコイルを実装するだけとし、カメラ本体側に制御回路を実装する形態が多くとられる。この形態であればストロボ発光部とカメラ本体内の制御回路との電気的接続は容易で４本程度のリード線で済む。
【０００７】
また、ストロボ発光部で発光した光の一部を発光量制御手段に導く可撓性の導光手段を有し、本発光制御が可能なカメラが、一般に普及している。ストロボを本発光させる前にプリ発光させて測光を行い、この測光結果に基づいて本発光の適正制御値を演算して発光を制御している。一例としてはストロボ発光部と撮像装置本体内にある発光量制御手段の間に導光手段として可撓性のあるファイバーを設け、ストロボ発光部と発光量制御装置の間の位置関係が変化しても導光量が変化しないようストロボ発光部の光を発光量制御手段に導いている。
【０００８】
以下にストロボ発光部内に、キセノン管とトリガーコイルを搭載している従来例について説明する。図２は従来例のストロボ発光部が収納待機位置にある状態の撮像装置の斜視図、図３は従来例のストロボ発光部が収納待機位置にある状態の撮像装置の側面図である。図４は従来例のストロボ発光部が発光位置にある状態の撮像装置の斜視図、図５は従来例のストロボ発光部が発光位置にある状態の撮像装置の側面図である。図３、図５に関しては説明上ストロボ発光部に被せられる外装部材は不図示としている。
【０００９】
図２〜図５を用いて従来例のストロボ発光部について説明する。１は撮像装置、２はストロボ発光部、３はカメラ本体側の上蓋である。ストロボ発光部２はアーム４により回転軸５に連結して上蓋３に支持されると共に、この回転軸５を中心とする回転運動により図２、図３に示す収納待機位置と図４、図５に示す発光位置との間をアップダウン動作できる。６は上蓋３に設けられているガイドピンである。このガイドピン６は回転軌跡の規制と共にアームに形成された不図示のガイド溝の下端に当接してストロボ発光部２のポップアップ位置の規制をしている。
【００１０】
図６に従来例のストロボ発光部が発光位置にある状態を示す背面図を用いて従来例のストロボ発光部について説明する。図６に関しても説明上ストロボ発光部に被せられる外装部材は不図示としている。
【００１１】
図６に示すように７はキセノン管で、８はストロボ反射笠、９はトリガーコイルである。これらキセノン管７とトリガーコイル９の制御信号４本はリード線２１でカメラ本体内の不図示の制御回路に接続されている。
【００１２】
フレネルレンズ１０には、キセノン管７から発光した光の一部をファイバーに導くライトガイド１１が一体に設けられている。２２は可撓性を有するファイバーであり、一端をライトガイド１１に、他端を不図示の撮像装置内部の受光素子に取り付けられている。発光部を小型に形成するために発光量制御に必要な受光素子は撮像装置１本体内に配置されている。
【００１３】
次に図３、図５と図７の従来例のストロボ発光部が収納待機位置にある状態の撮像装置の上面図と、図８の従来例のストロボ発光部が発光位置にある状態の撮像装置の上面図を用いて、従来例のストロボ発光部について説明する。
【００１４】
１２は回転軸５と同軸に設けられたリード線引き出し穴で、１３は上蓋３の側壁に設けられたリード線侵入穴である。ストロボ発光部２が収納待機位置から発光位置へ移動した際も、リード線引き出し穴１２は、回転軸５と同軸にあるため、リード線侵入穴１３と同軸上に存在している。
【００１５】
１４は固定軸５の近傍でアーム４の底面に設けられたファイバー引き出し穴で、１５は上蓋３の上面に設けられたファイバー侵入穴である。図３、図７に示すとおり、ストロボ発光部１が収納待機位置にあるとき、このファイバー引き出し穴１４は、ファイバー侵入穴１５の開口形状より、ファイバー引出し穴１４の開口形状が広く取られている。図５、図８に示すとおり、ストロボ発光部２が発光位置にあるときも、ファイバー引出し穴１４がファイバー侵入穴１５を塞ぐことがないようにファイバー引出し穴１４の開口形状が設定されている。ストロボ発光部２の発光位置、収納待機位置の状態に限らず常にアーム４とファイバー２２が干渉しないようにファイバー引出し穴１４は長穴形状設定されている。
【００１６】
４本のリード線２１はアーム４内を通過して、リード線引出し穴１２からリード線侵入穴１３を通って上蓋３内に侵入し、カメラ本体内の不図示の制御回路に接続されている。
【００１７】
また、内蔵ストロボを搭載した撮像装置についてはさまざまな提案がなされている。特許文献１には、ポップアップストロボ内蔵カメラにおいて、ストロボからカメラ本体内へのリード線配線本数がある程度増加しても、カメラを大きくすることなく、また構成を複雑にすることなく、配線することができる構成が開示されている。特許文献２には、小型でバウンス可能なストロボ装置の発光部の回転状態によらず、適正な本発光制御が可能なストロボ装置及び撮像装置が開示されている。
【先行技術文献】
【特許文献】
【００１８】
【特許文献１】特開平８−１６６６２０号公報
【特許文献２】特開２０１３−７７８６号公報
【発明の概要】
【発明が解決しようとする課題】
【００１９】
しかしながら、上述の特許文献に開示された従来技術では、カメラが小型化するにつれて、ストロボユニット内部の空間も少なくなり、リード線やファイバーのはい回しが複雑になっていた。図６に示すようにストロボ発光部２内部の回転軸５付近では、リード線２１とファイバー２２はリード線引出し穴１２に入るリード線２１とファイバー引き出し穴１４に入るファイバー２２が図６の地点Ａでクロスした状態になっている。従来、ガイドリブ１６Ａと溝を構成するための形状１７で溝が構成され、リード線２１とファイバー２２が収められている。ファイバー２２はガイドリブ１６Ａと接着材などで固定され、ガイドリブ１６Ａから回転軸５までが自由な状態になっていた。
【００２０】
そのため、地点Ａでリード線２１とファイバー２２の擦れが発生し、発光位置へ移動しにくくなっていた。低温下でリード線２１の被覆とファイバー２２が硬くなり、リード線２１とファイバー２２の擦れにより抵抗が発生し、発光位置まで移動できない、または、移動時に異音が発生するなどの問題が発生していた。
【００２１】
そこで、本発明の目的は、ストロボユニットを大型化することなくリード線とファイバーの擦れを防止し、適正位置まで確実に内蔵ストロボをアップすることを可能にした撮像装置を提供することにある。
【課題を解決するための手段】
【００２２】
上記の目的を達成するために、本発明の係る撮像装置は、
ストロボ発光部と、前記ストロボ発光部を構成するアームと、前記ストロボ発光部を撮像装置本体に対して所定の回転軸を中心に回動可能に支持し、該軸を中心とした回動により前記ストロボ発光部が収納待機位置から所望の発光位置に移動できるようにする支持手段と、前記ストロボ発光部内に実装されている電気実装部品と、前記撮像装置本体内に実装されている制御回路と、前記電気実装部品と前記制御回路とを電気的に接続するためのリード線と、前記ストロボ発光部の発光量を測光する発光量制御手段と、一端が前記ストロボ発光部に設けられ、他端が前記撮像装置本体内に設けられ、前記ストロボ発光部で発光した光の一部を前記発光量制御手段に導くファイバーと、を有する撮像装置において、ストロボ発光部内部でファイバーとアームに設けた外寄せリブで撮像装置底面と水平に撮像装置のグリップ方向へ付勢することを特徴とする。
【発明の効果】
【００２３】
本発明によれば、ストロボユニットを大型化することなくリード線とファイバーの擦れを防止し、適正位置まで確実に内蔵ストロボをアップすることを可能にした撮像装置を提供することができる。
【図面の簡単な説明】
【００２４】
【図１】本発明の第一の実施例であるストロボ発光部が発光位置にある状態を示す背面図
【図２】従来例のストロボ発光部が収納待機位置にある状態の撮像装置の斜視図
【図３】従来例のストロボ発光部が収納待機位置にある状態の撮像装置の側面図
【図４】従来例のストロボ発光部が発光位置にある状態の撮像装置の斜視図
【図５】従来例のストロボ発光部が発光位置にある状態の撮像装置の側面図
【図６】従来例のストロボ発光部が発光位置にある状態を示す背面図
【図７】従来例のストロボ発光部が収納待機位置にある状態の撮像装置の上面図
【図８】従来例のストロボ発光部が発光位置にある状態の撮像装置の上面図
【発明を実施するための形態】
【００２５】
以下に、本発明の好ましい実施の形態を、添付の図面に基づいて詳細に説明する。図１は、本発明の実施形態にかかわるストロボ発光部が発光位置にある状態を示す背面図である。
【実施例１】
【００２６】
以下、図１を参照して、本発明の好適な実施形態について、添付図面を参照して詳細に説明する。図１に、本発明の第一の実施例の構成を示す。
【００２７】
１６Ｂはファイバー外寄せリブであり、アーム４に凸形状で設けられている。外寄せリブ１６Ｂにより、ファイバー２２を撮像装置１底面と水平に撮像装置１のグリップ方向へ付勢してルートを外側へ移動している。それにより、回転軸５付近のリード線引出し穴１２に入るリード線２１とファイバー引き出し穴１４に入るファイバー２２の擦れを防止している。外寄せリブ１６Ｂから回転軸５までにおいてファイバー２２を背面から投影したルートと異なるルートにファイバー２２を通すことで、発光位置への移動時にも干渉しないようリード線２１とファイバー２２のルートを分離している。
【００２８】
さらにファイバー２２のルートが大きく変化しないようファイバー２２を外寄せリブ１６Ｂとファイバー２２を接着材で固定してもよい。ファイバー２２のルートが接着剤で規制され、また、外寄せリブ１６Ｂと外寄せリブ１６Ｂから一定間隔を設けて配置された溝を構成するための形状１７により、リード線２１の位置も溝により規制される。これによりリード線２１とファイバー２２の干渉をより防止することが可能である。
【００２９】
これにより、ストロボユニットを大型化することなくファイバーとリード線の擦れを防止し、適正位置まで確実に内蔵ストロボをアップすることが可能である。
【００３０】
以上、本発明の好ましい実施形態について説明したが、本発明はこれらの実施形態に限定されず、その要旨の範囲内で種々の変形及び変更が可能である。
【符号の説明】
【００３１】
１  撮像装置、２  ストロボ発光部、３  上蓋、４  アーム、５  回転軸、
６  ガイドピン、７  キセノン管、８  ストロボ反射笠、９  トリガーコイル、
１０  フレネルレンズ、１１  ライトガイド、１２  リード線引き出し穴、
１３  リード線侵入穴、１４  ファイバー引き出し穴、１５  ファイバー侵入穴、
１６Ａ  ガイドリブ、１６Ｂ  外寄せリブ、１７  溝を構成するための形状、
２１  リード線、２２  ファイバー
【図１】
2018180138.tif 000003
【図２】
2018180138.tif 000004
【図３】
2018180138.tif 000005
【図４】
2018180138.tif 000006
【図５】
2018180138.tif 000007
【図６】
2018180138.tif 000008
【図７】
2018180138.tif 000009
【図８】
2018180138.tif 000010